(57)【要約】【課題】野生動物を確実に捉え得る捕獲装置を提供する。【解決手段】動物の逸走を阻止可能な格子状で且つ地表に定置される檻底部１と、檻底部１の四隅に垂直に立設した支柱２と、動物の逸走を阻止可能な格子状で且つ各支柱２の間に位置する合計四面の檻側部３を有し、自重により支柱２の上半側から下半側へ滑落する檻本体４と、動物の逸走を阻止可能な格子状で且つ前記檻底部１と向き合う檻頂部５と、檻本体４の重量を受けて支柱２の上半側に保持する待機用ストッパ６とを備え、檻底部１に多様に方角から入ってきた野生動物を、檻本体４で囲んで確実に捉える。【選択図】図１
0003132167.tif 000002
【実用新案登録請求の範囲】
【請求項１】
動物の逸走を阻止可能な形状で且つ地表に定置される檻底部と、該檻底部の四隅に垂直に立設した支柱と、動物の逸走を阻止可能な形状で且つ各支柱の間に位置する合計四面の檻側部を有し、しかも自重により各檻側部が一体的に支柱の上半側から下半側へ滑落する檻本体と、動物の逸走を阻止可能な形状で且つ支柱下半側へ滑落した檻本体上縁に見合う高さに配置され、しかも前記檻底部と向き合う檻頂部と、前記檻本体の重量を受けて支柱上半側に保持する待機用ストッパと、前記檻底部へ動物が進入したことを検知するセンサと、該センサが動物進入を検知した際に引き紐をリールに巻き取るモータと、前記リールへの引き紐の巻き取りに伴い待機用ストッパを解放して檻本体を滑落させる機械手段とを備えてなることを特徴とする捕獲装置。
【請求項２】
モータへの給電を選択的に遮断し得るスイッチを設けた請求項１に記載の捕獲装置。
【考案の詳細な説明】
【技術分野】
【０００１】
本考案は捕獲装置に関するものである。
【背景技術】
【０００２】
近年、山林が切り拓かれることに伴って、猪などの野生動物が里へ降りて農作物を喰い荒らすという被害が頻発している。
【０００３】
そこで、猪を選択的に捉えることを目的した捕獲装置が提案されている（例えば、特許文献１参照）。
【０００４】
この捕獲装置は、猪が進入可能な前面開口を閉止し得る落し扉を有する前面部と、猪が進入可能な背面開口を閉止し得る落し扉を有する背面部と、猪が進入できない格子形状の第１、第２の側面部とを主たる構成要素とした箱型の檻であって、特に、猪以外の動物や人間の子供が脱出を図るための上面開口部を、地面から１．２ｍ以上の高さ位置に設けている。
【特許文献１】特開２００５−９５０９９号公報
【考案の開示】
【考案が解決しようとする課題】
【０００５】
上述した捕獲装置では、前面部や背面部に近付いてきた猪は、開口を経て檻の中へ入るが、第１、第２の側面部に向かって来る猪は、警戒して檻を避けてしまい、捕獲することができない。
【０００６】
本考案は野生動物を確実に捉え得る捕獲装置を提供することを目的としている。
【課題を解決するための手段】
【０００７】
上記目的を達成するため、請求項１に記載の考案では、動物の逸走を阻止可能な形状で且つ地表に定置される檻底部と、該檻底部の四隅に垂直に立設した支柱と、動物の逸走を阻止可能な形状で且つ各支柱の間に位置する合計四面の檻側部を有し、しかも自重により各檻側部が一体的に支柱の上半側から下半側へ滑落する檻本体と、動物の逸走を阻止可能な形状で且つ支柱下半側へ滑落した檻本体上縁に見合う高さに配置され、しかも前記檻底部と向き合う檻頂部と、前記檻本体の重量を受けて支柱上半側に保持する待機用ストッパと、前記檻底部へ動物が進入したことを検知するセンサと、該センサが動物進入を検知した際に引き紐をリールに巻き取るモータと、前記リールへの引き紐の巻き取りに伴い待機用ストッパを解放して檻本体を滑落させる機械手段とを備えている。
【０００８】
また、請求項２に記載の考案では、モータへの給電を選択的に遮断し得るスイッチを設ける。
【考案の効果】
【０００９】
本考案の捕獲装置によれば、下記のように優れた効果を奏し得る。
【００１０】
（１）請求項１、２に記載のいずれの考案においても、檻底部の四隅に垂直に立設した支柱の間に位置する合計四面の檻側部を有する檻本体を、その自重によって支柱の上半側から下半側へ滑落させるので、多様に方角から檻底部へと入ってきた野生動物を、確実に捉えることができる。
【００１１】
（２）昼間にスイッチをモータへの給電を遮断するように設定しておけば、誤って人間が檻頂部の下方へ入っても檻本体が滑落せず、安全性を担保できる。
【考案を実施するための最良の形態】
【００１２】
以下、本考案の実施の形態を図面に基づき説明する。
【００１３】
図１〜図５は本考案の捕獲装置の一例であり、地表に定置される檻底部１と、該檻底部１の四隅に垂直に立設した支柱２と、これら支柱２の間に位置する合計四面の檻側部３を有し、支柱２の上半側から下半側へ滑落する檻本体４と、支柱２下半側へ滑落した檻本体４上縁に見合う高さに配置され、しかも前記檻底部１と向き合う檻頂部５と、檻本体４の重量を受けて支柱２上半側に保持する待機用ストッパ６と、檻底部１への動物進入を検知するセンサ７と、該センサ７により動物進入が検知された引き紐８をリール９に巻き取るモータ１０と、前記リール９への引き紐８の巻き取りに伴い待機用ストッパ６を解放して檻本体４を滑落させる機械手段１１とを備えている。
【００１４】
檻底部１、檻側部３、檻頂部５は、猪の逸走を阻止可能な格子状（図面では、部分的に省略）としてあり、合計四面の檻側部３からなる檻本体４は、檻底部１の上に載った猪を捉える囲いの役割を果たす。
【００１５】
更に、檻本体４の四隅には垂直に延びて上向きに突出する丸棒１２が取り付けてあり、この丸棒１２は、支柱２の上半側から下半側へ檻本体４が滑落する際に、支柱２に用いたアングル材の谷部分を摺動し、当該檻本体４が傾くことを防ぐ。
【００１６】
檻頂部５の四隅は、ブラケット１３を介して各支柱２の上下方向中間部分に支持され、檻本体４の四隅の縦部材１４には、上下方向へ延びる長大なスリットが形作ってある。
【００１７】
各ブラケット１３は縦部材１４のスリットに通され、檻本体４が支柱２に沿って自由に昇降できるようになっている。
【００１８】
待機用ストッパ６は、先端近傍個所が水平ピン１５により檻頂部５に枢支されている。
【００１９】
檻本体４を吊上げた後、檻頂部５に横向きに押し引き可能に設けてある係止ピン１６が待機用ストッパ６の基端上面に接していることを確認したうえ、檻本体４の下辺部材１７に取り付けてある爪１８を待機用ストッパ６の先端上面に引っ掛けると、支柱２の上半側に檻本体４が保持され、どの方位からでも猪が檻頂部５の真下に入れるようになる。
【００２０】
猪が檻頂部５の真下に入った際に、係止ピン１６を引いて待機用ストッパ６の基端上面から外すと、檻本体４の重量により待機用ストッパ６の先端部分が押し下げられ、爪１８が待機用ストッパ６の先端上面が外れ、支柱２の上半側から下半側へ檻本体４が滑落し、猪は檻本体４に囲まれることになる。
【００２１】
待機用ストッパ６の他に、檻本体４を一時的に支柱２の上半側から滑落させないようにして作業中の安全を向上させるためストッパや、あるいは支柱２の下半側に滑落して猪を捉えた檻本体４が一時的に持ち上がらないようにするストッパなどを付帯させてもよい。
【００２２】
センサ７は、非接触検知方式、あるいは接触検知方式のいずれであってもよく、非接触方式である場合は、檻頂部５に取り付けることが好ましい。
【００２３】
モータ１０と電源１９との間には、トグルスイッチ２０が組み込んであり、このトグルスイッチ２０がオンに設定されているときに、センサ７が動物進入を検知すると、モータ１０が作動し、直ちに引き紐８がリール９に巻き取られはじめる。
【００２４】
電源１９としては様々なものが選択できるが、捕獲装置の設置場所からして商用の交流１００Ｖは得にくいので、バッテリ（ソーラー方式のものを含む）を用いることになる。
【００２５】
機械手段１１は、アーム２１、引き寄せ機構２２、及び解放機構２３を主な構成要素としている。
【００２６】
アーム２１は、先端近傍個所が垂直ピン２４により檻頂部５に枢支され、長手方向中間個所に前記係止ピン１６を連結してある。
【００２７】
引き寄せ機構２２は、平面視で待機用ストッパ６と同方向に延び、しかもアーム２１の基端近傍部分に待機用ストッパ６とは反対側から向き合うロッド２５を有している。
【００２８】
このロッド２５は、ハウジング２６に内装した引張スプリングにより待機用ストッパ６から離れる方向へ付勢され、しかも、周方向へ動けるようになっている。
【００２９】
解放機構２３は、引き寄せ機構２２のロッド２５から直角に突出するリリースバー２７と、前記ロッド２５に嵌められ且つリリースバー２７を案内するためのＬ字型のスリット２８が形作ってあるスリーブ２９と、前記アーム２１の基端近傍個所に引き寄せ機構２２のロッド２５を連結するクランクバー３０とを有し、檻頂部５にスリーブ２９を固定してある。
【００３０】
クランクバー３０の一端は、ロッド２５の先端に同軸に枢支してあり、また、クランクバー３０の他端は、アーム２１の基端近傍個所に揺動可能に枢支してある。
【００３１】
ロッド２５、リリースバー２７、及びスリーブ２９は、観音開きの扉の一方を閉止位置に固定するときに用いる「上げ落し」と同様な機能を発揮する。
【００３２】
すなわち、リリースバー２７が、スリーブ２９周方向に延びるスリット２８の横部分に入って直立しているときには、ロッド２５の軸線方向への移動が拘束され、前記引き寄せ機構２２の引張スプリングが伸びた状態に保持される。
【００３３】
リリースバー２７を倒して、スリット２８の横部分から縦部分へ移行させると、ロッド２５の軸線方向への拘束が解除され、引張スプリングの復原力でロッド２５が移動する。
【００３４】
ロッド２５の動きは、、クランクバー３０からアーム２１を経て係止ピン１６に伝わり、該係止ピン１６が先に述べたように待機用ストッパ６の基端上面から外れて、支柱２の上半側から下半側へ檻本体４が滑落する。
【００３５】
リリースバー２７を、スリット２８の横部分から縦部分に移行させる動作をモータ１０に行わせるために、リリースバー２７には、前記リール９から繰り出した引き紐８の先端がワイヤ３１を介して繋げられている。
【００３６】
引き紐８はトグルスイッチ２０の操作部材に穿設した孔に通され、この孔よりも大きなストライカ３２が、引き紐８とワイヤ３１の相互係止個所に取り付けてある。
【００３７】
ストライカ３２は、リリースバー２７がスリット２８の横部分で直立するように、前記リール９から引き紐８が繰り出してある場合は、トグルスイッチ２０の操作部材に対して充分に離れたところに位置している。
【００３８】
リール９に引き紐８を巻き取り、リリースバー２７が倒されると、トグルスイッチ２０の操作部材にストライカ３２が突き当たり、トグルスイッチ２０がＯＮからＯＦＦに切り換わる。
【００３９】
猪を捉えるのに際しては、リール９が引き紐８を充分に繰り出し、リリースバー２７をスリーブ２９のスリット２８の横部分に入れて直立させ、ロッド２５の軸線方向への移動を拘束して、引き寄せ機構２２の引張スプリングを伸びた状態に保持する。
【００４０】
次いで、檻本体４を吊上げた後、係止ピン１６が待機用ストッパ６の基端上面に接していることを確認し、檻本体４の下辺部材１７に取り付けてある爪１８を待機用ストッパ６の先端上面に引っ掛け、支柱２の上半側に檻本体４を保持させ、この後、トグルスイッチ２０の操作部材をＯＮ側に設定する。
【００４１】
この後、檻底部１への猪の進入がセンサ７により検知されると、モータ１０が作動して引き紐８がリール９に巻き取られ、リリースバー２７が倒れてロッド２５の軸線方向への拘束が解除され、引張スプリングの復原力でロッド２５が移動する。
【００４２】
ロッド２５の動きは、クランクバー３０からアーム２１を経て係止ピン１６に伝わり、該係止ピン１６が待機用ストッパ６の基端上面から外れて、支柱２の上半側から下半側へ檻本体４が滑落し、猪の捕獲が完了する。
【００４３】
リリースバー２７が倒れると直に、トグルスイッチ２０の操作部材にストライカ３２が突き当たり、トグルスイッチ２０がＯＮからＯＦＦに切り換わるため、モータ１０が焼損しない。
【００４４】
また、昼間にトグルスイッチ２０の操作部材をＯＦＦに設定しておけば、誤って人間が檻頂部５の下方へ入っても檻本体４が滑落しない。
【００４５】
なお、本考案の捕獲装置は、上述した実施の形態のみに特に限定されるものではなく、本考案の要旨を逸脱しない範囲において変更を加え得ることは勿論である。
【産業上の利用可能性】
【００４６】
本考案の捕獲装置は、様々な野生動物を捉える場合に使うことができる。
【図面の簡単な説明】
【００４７】
【図１】本考案の捕獲装置の一例において、檻本体が滑落する前の状態を示す斜視図である。
【図２】本考案の捕獲装置の一例において、檻本体が滑落した後の状態を示す斜視図である。
【図３】本考案の捕獲装置の一例において、檻本体が滑落する前の待機用ストッパや機械手段の位置関係を平面的に示す概念図である。
【図４】本考案の捕獲装置の一例において、檻本体が滑落した後の待機用ストッパや機械手段の位置関係を平面的に示す概念図である。
【図５】図３のＶ−Ｖ矢視図である。
【符号の説明】
【００４８】
１  サイド堰
２  支柱
３  檻側部
４  檻本体
５  檻頂部
６  待機用ストッパ
７  センサ
８  引き紐
９  リール
１０  モータ
１１  機械手段
２０  トグルスイッチ
【図１】
0003132167.tif 000003
【図２】
0003132167.tif 000004
【図３】
0003132167.tif 000005
【図４】
0003132167.tif 000006
【図５】
0003132167.tif 000007